(57)【要約】容量センサシステムは、接地平面または接地電極との容量結合を伴う受信電極と、受信電極と接地平面との間に配列される第１の伝送電極であって、第１の伝送電極は、受信電極に対して、伝送電極が受信電極の表面積を被覆するようなサイズを有する、第１の伝送電極と、受信電極に隣接して配列され、第１の伝送電極と結合されない第２の伝送電極であって、第２の伝送電極は、第１の伝送電極より高い交流電圧を用いて駆動される、第２の伝送電極とを有する。
2018514037.tif 000002
【特許請求の範囲】
【請求項１】
接地平面または接地電極との容量結合を有する受信電極と、
前記受信電極と前記接地平面との間に配列される第１の伝送電極であって、前記第１の伝送電極は、前記受信電極に対して、前記伝送電極が前記受信電極の表面積を被覆するようなサイズを有する、第１の伝送電極と、
前記受信電極に隣接して配列され、前記第１の伝送電極と結合されない第２の伝送電極であって、前記第２の伝送電極は、前記第１の伝送電極より高い交流電圧を用いて駆動される、第２の伝送電極と
を備える容量センサシステム。
【請求項２】
前記第１の伝送電極および前記第２の伝送電極を駆動させる第１の信号および第２の信号は、同一の周波数を有し、同相である、請求項１に記載の容量電極システム。
【請求項３】
前記第２の伝送電極は、前記第１の伝送電極と同一平面に配列される、請求項１または請求項２に記載の容量電極システム。
【請求項４】
前記第２の伝送電極は、前記受信電極と同一平面に配列される、請求項１〜３のいずれか１項に記載の容量電極システム。
【請求項５】
前記第２の伝送電極は、少なくとも部分的に、前記受信電極を取り囲む、請求項１〜４のいずれか１項に記載の容量電極システム。
【請求項６】
前記第２の伝送電極は、前記第１の伝送電極の下方に配列される、請求項１〜５のいずれか１項に記載の容量電極システム。
【請求項７】
前記第１の伝送電極は、区画化される、請求項１〜６のいずれか１項に記載の容量電極システム。
【請求項８】
前記第２の伝送電極は、区画化される、請求項１〜７のいずれか１項に記載の容量電極システム。
【請求項９】
前記第２の伝送電極は、前記第１の伝送電極より大きい、請求項１〜８のいずれか１項に記載の容量電極システム。
【請求項１０】
前記第１の伝送電極および前記第２の伝送電極に供給される第１の駆動信号および第２の駆動信号を発生させるコントローラをさらに備える、請求項１〜９のいずれか１項に記載の容量電極システム。
【請求項１１】
前記第１の伝送電極および前記第２の伝送電極と異なる電圧を受信する少なくとも１つのさらなる伝送電極をさらに備える、請求項１〜１０のいずれか１項に記載の容量電極システム。
【請求項１２】
前記第２の伝送電極および第３の伝送電極は、前記受信電極と同一平面に配列され、前記第２の伝送電極は、少なくとも部分的に、前記受信電極を取り囲み、前記第３の伝送電極は、少なくとも部分的に、前記第２の伝送電極を取り囲む、請求項１１に記載の容量電極システム。
【請求項１３】
接地平面または接地電極との容量結合を有する受信電極と、前記受信電極と前記接地平面との間に配列される第１の伝送電極であって、前記第１の伝送電極は、前記受信電極に対して、前記伝送電極が前記受信電極の表面積を被覆するようなサイズを有する、第１の伝送電極と、前記受信電極に隣接して配列され、前記第１の伝送電極と結合されない第２の伝送電極とを備える容量センサを動作させるための方法であって、前記方法は、
前記第１の伝送電極より高い交流電圧を用いて前記第２の伝送電極を駆動させるステップ
を含む、方法。
【請求項１４】
前記第１の伝送電極および前記第２の伝送電極を駆動させる第１の信号および第２の信号は、同一の周波数を有し、同相である、請求項１３に記載の方法。
【請求項１５】
前記第２の伝送電極は、前記第１の伝送電極と同一平面に配列されるか、または、前記第２の伝送電極は、前記受信電極と同一平面に配列される、請求項１３または請求項１４に記載の方法。
【請求項１６】
前記第２の伝送電極は、少なくとも部分的に、前記受信電極を取り囲む、請求項１３〜１５のいずれか１項に記載の方法。
【請求項１７】
前記第２の伝送電極は、前記第１の伝送電極の下方に配列される、請求項１３〜１６のいずれか１項に記載の方法。
【請求項１８】
前記第１の伝送電極および／または第２の伝送電極は、区画化される、請求項１３〜１７のいずれか１項に記載の方法。
【請求項１９】
前記第２の伝送電極は、前記第１の伝送電極より大きい、請求項１３〜１８のいずれか１項に記載の方法。
【請求項２０】
電極システムは、少なくとも１つのさらなる伝送電極を備え、前記方法は、前記第１の伝送電極および前記第２の伝送電極のための電圧と異なる電圧を第３の伝送電極に供給するステップを含む、請求項１３〜１９のいずれか１項に記載の方法。
【請求項２１】
前記第２の伝送電極および前記第３の伝送電極は、前記受信電極と同一平面に配列され、前記第２の伝送電極は、少なくとも部分的に、前記受信電極を取り囲み、前記第３の伝送電極は、少なくとも部分的に、前記第２の伝送電極を取り囲む、請求項２０に記載の方法。
【請求項２２】
ディスプレイと、
前記ディスプレイの周囲にフレーム型に配列される４つの電極群であって、各電極群は、
接地平面または接地電極との容量結合を有する受信電極と、
前記受信電極と前記接地平面との間に配列される第１の伝送電極であって、前記第１の伝送電極は、前記受信電極に対して、前記伝送電極が前記受信電極の表面積を被覆するようなサイズを有する、第１の伝送電極と、
前記受信電極に隣接して配列され、前記第１の伝送電極と結合されない第２の伝送電極であって、前記第２の伝送電極は、前記第１の伝送電極より高い交流電圧を用いて駆動される、第２の伝送電極と
を備える、電極群と
を備えるデバイス。
【発明の詳細な説明】
【技術分野】
【０００１】
（関連特許出願）
本願は、２０１５年４月２２日に出願された共有の米国仮特許出願第６２／１５１，１７２号に対する優先権を主張し、この出願は、あらゆる目的のために、参照により、本明細書に援用される。
【０００２】
（技術分野）
本開示は、容量センサシステムに関する。
【背景技術】
【０００３】
（背景）
容量センサデバイスは、多くの場合、タッチスクリーン等のディスプレイ用途において実装される。相互および自己の容量感知を使用する異なる感知技術が、タッチ位置を検出するために使用される。さらなる開発は、非タッチ入力システムを提供し、非タッチ入力システムは、例えばディスプレイの周囲のフレーム内に配列される４つの電極を用いて、交流電気近接場を発生させ、そのような場の歪曲を測定し、それにより、場に進入する物体の３次元位置データを決定する。そのようなシステムは、ＧｅｓｔＩＣ（Ｒ）システムとしても知られ、本願の譲受人によって開発されており、一般的説明は、例えば、Ｍｉｃｒｏｃｈｉｐ  Ｔｅｃｈｎｏｌｏｇｙ  Ｉｎｃ．によって２０１３年に公開されたアプリケーションノート「ＭＧＣ３１３０−Ｓａｂｒｅｗｉｎｇ  Ｓｉｎｇｌｅ−Ｚｏｎｅ  Ｅｖａｌｕａｔｉｏｎ  Ｋｉｔ  Ｕｓｅｒ’ｓ  Ｇｕｉｄｅ」に開示されている（このアプリケーションノートは、参照により、本明細書に援用される。）。図８は、４つの受信電極Ａ、Ｂ、Ｃ、Ｄと、受信電極Ａ、Ｂ、Ｃ、Ｄ下に配列される伝送電極８２０と、受信電極Ａ、Ｂ、Ｃ、Ｄと結合されかつ伝送電極８２０のための交流駆動信号を提供するコントローラ８１０とを有するそのようなシステムを示す。コントローラ８１０は、コンピュータシステムまたは任意の他の後処理デバイスのための出力信号を提供することができる。したがって、図８に示されるようなシステム８００は、コンピュータマウスまたはキーボードに類似する入力デバイスとして動作し得る。デバイスは、例えば、ディスプレイ画面を取り囲むように受信電極Ａ、Ｂ、Ｃ、Ｄを配列することによって、ディスプレイ内に容易に統合されることができる。
【発明の概要】
【課題を解決するための手段】
【０００４】
しかしながら、より大きいセンササイズ／感度を要求する用途（特に、ディスプレイ用途）についての可能性を広げるために、センサのためのより高い感度を得るための容量感知システムの必要性が存在する。種々の実施形態によると、異なる電圧レベルを有する複数の伝送電極が、感知入力をオーバードライブさせることなく、相互結合効果を増加させて自己感知効果を維持するために、使用されることができる。
【０００５】
ある実施形態によると、容量センサシステムは、接地平面または接地電極との容量結合を有する受信電極と、受信電極と接地平面との間に配列される第１の伝送電極であって、第１の伝送電極は、受信電極に対して、伝送電極が受信電極の表面積を被覆するようなサイズを有する、第１の伝送電極と、受信電極に隣接して配列され、第１の伝送電極と結合されない第２の伝送電極であって、第２の伝送電極は、第１の伝送電極より高い交流電圧を用いて駆動される、第２の伝送電極とを備えてもよい。
【０００６】
さらなる実施形態によると、第１の伝送電極および第２の伝送電極を駆動させる第１の信号および第２の信号は、同一の周波数を有してもよく、同相であってもよい。さらなる実施形態によると、第２の伝送電極は、第１の伝送電極と同一平面に配列されることができる。さらなる実施形態によると、第２の伝送電極は、受信電極と同一平面に配列されることができる。さらなる実施形態によると、第２の伝送電極は、少なくとも部分的に、受信電極を取り囲んでもよい。さらなる実施形態によると、第２の伝送電極は、第１の伝送電極の下方に配列されてもよい。さらなる実施形態によると、第１の伝送電極は、区画化されることができる。さらなる実施形態によると、第２の伝送電極は、区画化されることができる。さらなる実施形態によると、第２の伝送電極は、第１の伝送電極より大きくあり得る。さらなる実施形態によると、容量電極システムは、第１の伝送電極および第２の伝送電極に供給される第１の駆動信号および第２の駆動信号を発生させるコントローラをさらに備えてもよい。さらなる実施形態によると、容量電極システムは、第１の伝送電極および第２の伝送電極と異なる電圧を受信する少なくとも１つのさらなる伝送電極をさらに備えてもよい。さらなる実施形態によると、第２の伝送電極および第３の伝送電極は、受信電極と同一平面に配列されることができ、第２の伝送電極は、少なくとも部分的に、受信電極を取り囲み、第３の伝送電極は、少なくとも部分的に、第２の伝送電極を取り囲む。
【０００７】
別の実施形態によると、接地平面または接地電極との容量結合を有する受信電極と、受信電極と接地平面との間に配列される第１の伝送電極であって、第１の伝送電極は、受信電極に対して、伝送電極が受信電極の表面積を被覆するようなサイズを有する、第１の伝送電極と、受信電極に隣接して配列され、第１の伝送電極と結合されない第２の伝送電極とを備える容量センサを動作させるための方法であって、第１の伝送電極より高い交流電圧を用いて第２の伝送電極を駆動させるステップを含む、方法が、提供される。
【０００８】
方法のさらなる実施形態によると、第１の伝送電極および第２の伝送電極を駆動させる第１の信号および第２の信号は、同一の周波数を有してもよく、同相であってもよい。方法のさらなる実施形態によると、第２の伝送電極は、第１の伝送電極と同一平面に配列されることができるか、または、第２の伝送電極は、受信電極と同一平面に配列される。方法のさらなる実施形態によると、第２の伝送電極は、少なくとも部分的に、受信電極を取り囲んでもよい。方法のさらなる実施形態によると、第２の伝送電極は、第１の伝送電極の下方に配列されてもよい。方法のさらなる実施形態によると、第１の伝送電極および／または第２の伝送電極は、区画化されることができる。方法のさらなる実施形態によると、第２の伝送電極は、第１の伝送電極より大きくあり得る。方法のさらなる実施形態によると、電極システムは、少なくとも１つのさらなる伝送電極を備えてもよく、方法は、第１の伝送電極および第２の伝送電極のための電圧と異なる電圧を第３の伝送電極に供給するステップを含む。方法のさらなる実施形態によると、第２の伝送電極および第３の伝送電極は、受信電極と同一平面に配列されることができ、第２の伝送電極は、少なくとも部分的に、受信電極を取り囲み、第３の伝送電極は、少なくとも部分的に、第２の伝送電極を取り囲む。
【０００９】
さらに別の実施形態によると、デバイスは、ディスプレイと、ディスプレイの周囲にフレーム型に配列される４つの電極群とを備えてもよく、各電極群は、接地平面または接地電極との容量結合を有する受信電極と、受信電極と接地平面との間に配列される第１の伝送電極であって、第１の伝送電極は、受信電極に対して、伝送電極が受信電極の表面積を被覆するようなサイズを有する、第１の伝送電極と、受信電極に隣接して配列され、第１の伝送電極と結合されない第２の伝送電極であって、第２の伝送電極は、第１の伝送電極より高い交流電圧を用いて駆動される、第２の伝送電極とを備えてもよい。
【図面の簡単な説明】
【００１０】
【図１】図１は、従来のセンサ配列を示す。
【図２】図２および図３は、ある実施形態に従ったセンサ電極配列を示す。
【図３】図２および図３は、ある実施形態に従ったセンサ電極配列を示す。
【図４】図４〜図７ａは、電極配列の種々の実施形態の断面図を示す。
【図５】図４〜図７ａは、電極配列の種々の実施形態の断面図を示す。
【図６】図４〜図７ａは、電極配列の種々の実施形態の断面図を示す。
【図７ａ】図４〜図７ａは、電極配列の種々の実施形態の断面図を示す。
【図７ｂ】図７ｂ〜図７ｄは、図７ａに従った実施形態の平面図を示す。
【図７ｃ】図７ｂ〜図７ｄは、図７ａに従った実施形態の平面図を示す。
【図７ｄ】図７ｂ〜図７ｄは、図７ａに従った実施形態の平面図を示す。
【図８】図８は、従来のジェスチャ検出システムを示す。
【図９】図９は、ある実施形態に従った駆動回路ブロック図を示す。
【図１０】図１０は、ある実施形態に従ったジェスチャ検出システムを示す。
【発明を実施するための形態】
【００１１】
ＧｅｓｔＩＣ（Ｒ）システムのサイズは、例えば図８に示されるように、受信電極Ａ、Ｂ、Ｃ、Ｄの感度に対して限定される。種々の実施形態によると、３倍およびそれを上回って入力信号のレベルを増加させることが可能であり、システムのより高い感度を要求する用途の新しい分野をもたらすことが可能である。提案される技法は、ＧｅｓｔＩＣ（Ｒ）システムに限定されず、あらゆる種類の容量測定システム内で使用され得る。
【００１２】
図１に示されるように、伝送電極Ｔｘ１が、受信電極Ｒｘと接地電極１２０との間に設置される。伝送電極Ｔｘ１は、受信電極Ｒｘによって受信されるある周波数で刺激される。伝送電極Ｔｘ１は、電極Ｒｘを接地から遮蔽し、言い換えると、伝送電極Ｔｘ１は、容量結合ＣＲｘ−Ｇｎｄを低減させる。その影響として、Ｒｘ電極の低減ベースの自己静電容量がもたらされる。したがって、ヒトの手の接近は、より大きい信号シフト（自己静電容量測定）を引き起こす。しかしながら、Ｔｘ１の信号電圧は、高電圧レベルが感知入力をオーバードライブさせるため、限定される。相互静電容量測定に関して、伝送電極Ｔｘと受信電極Ｒｘとの間の低ベース結合ＣＴｘ１−Ｒｘを用いて稼働することが有益である。伝送電極Ｔｘは、必ずしも、受信電極Ｒｘの真下にある必要はない。Ｔｘ電極とＲｘ電極との間のベース結合が低いとき、入力が容易にオーバードライブされないため、より高い電圧を用いて稼働することが可能である。例えば、ヒトの手が、接近しており、漂遊磁場（ｓｔｒａｙ  ｆｉｅｌｄ）を接地ＣＨａｎｄ−Ｇｎｄにシャントしているとき、Ｔｘ信号のためのより高い電圧は、より高い信号シフトを受信電極Ｒｘ上にもたらす。
【００１３】
図１は、従来の伝送電極Ｔｘを示し、受信電極Ｒｘの下にある部分は、斜線で示され、残りの部分は、斜線で示されていない。特に、図１に示されるように、Ｔｘ１の斜線部分は、ベース結合ＣＲＸ-ＧＮＤを低減させ、したがって、自己静電容量測定を改良する。Ｔｘ１の非斜線部分は、相互静電容量測定のための直線場を提供する。Ｔｘ１の斜線部分は、Ｒｘへの高結合を有し、Ｔｘ信号電圧Ｕ１は、信号入力のオーバードライブを回避するために限定される。Ｔｘの非斜線部分は、最適な相互静電容量測定出力のための高電圧伝送信号（Ｕ１）を要求する。
【００１４】
図２および図３に示されるように、種々の実施形態によると、Ｒｘを接地から遮蔽しない（言い換えると、接地電極１２０と受信電極Ｒｘとの間に配列されない）第２の伝送電極Ｔｘ２が導入される。この第２の伝送電極Ｔｘ２は、システムが、相互および自己の静電容量測定ならびに利得を最適化し、伝送電極Ｔｘ２上のより高い電圧を通して有意により高い全体的感度を提供することを可能にする。このより高い電圧は、信号シフトにおける利得を相互静電容量測定に提供する。Ｔｘ２におけるより高い電圧は、Ｔｘ１低電圧のオーバードライブに関する問題を引き起こさず、Ｒｘ−ＧＮＤからのより低いベース結合ＣＲｘ−ＧＮＤは、高電圧を用いた入力のオーバードライブを回避する。センサは、ＲｘセンサチャネルおよびＴｘセンサチャネルの数において限定されない。
【００１５】
実際上、図１に示されるような単一の伝送電極は、２つまたはそれを上回る電極区画に分割され、個々の電極区画は、異なる信号によって駆動される。例えば、受信電極ＲＸとの高結合（ＣＴｘ１−Ｒｘ）を有する伝送電極Ｔｘ１は、入力のオーバードライブを回避するために低電圧（Ｕ１）で駆動される。伝送電極Ｔｘ２は、受信電極Ｒｘとの低容量結合（ＣＴｘ２−Ｒｘ）を有し、最良の相互影響のために高電圧（Ｕ２）で駆動される（入力のオーバードライブはない）。伝送電極は、複数の伝送電極に分割されることができるが、システムは、必ずしも、図２および図３に示されるように、２つの伝送電極に限定されない。
【００１６】
ある実施形態によると、第１の伝送電極は、第１の交流信号（例えば、第１の振幅、例えば、０〜２０ボルトを有する方形波信号）を用いて駆動されることができる。第２の伝送信号は、第１の信号から派生され得るが、より高い振幅、例えば、６〜４０ボルトを有し得る。したがって、ある実施形態によると、信号間の位相シフトは存在しないが、２つの駆動信号の振幅のみが異なる。
【００１７】
種々の実施形態は、入力方法として３Ｄジェスチャ検出を、例えば５〜１７インチのサイズを有するディスプレイに追加することを可能にする。前述のように、種々の実施形態による方法およびシステムもまた、種々の他の容量測定技術に適用されることができ、例えば、ＭｉｃｒｏｃｈｉｐのＰｃａｐソリューションと組み合わせることも有効であり得る。種々の実施形態は、より大きいディスプレイのための組み合わせられた２Ｄ−３Ｄ入力ソリューションを可能にする。また、従来のＧｅｓｔＩＣシステムの感度／検出範囲は、概して、強化されることができる。
【００１８】
図４は、別の実施形態を示し、図４において、伝送電極区画Ｔｘ１、Ｔｘ２は、相互に上方におよび受信電極と接地電極との間に配列される。ここでは、第２の伝送電極Ｔｘ２の上方に配列される第１の伝送電極Ｔｘ１は、ある実施形態によると、第２の伝送電極よりサイズが小さい。また、受信電極は、ある実施形態によると、第１の伝送電極より小さくあり得る。
【００１９】
図５は、さらに別の可能性として考えられる実施形態を示し、図５において、第１の伝送電極Ｔｘ１のみが、受信電極Ｒｘと接地電極１２０との間に配列される。第２の伝送電極Ｔｘ２は、受信電極Ｒｘと同一平面に配列される。再び、ある実施形態によると、第１の伝送電極Ｔｘは、第２の伝送電極Ｔｘ２よりサイズが小さくあり得る。
【００２０】
図６は、さらに別の実施形態を示し、図６において、再び、第１の伝送電極Ｔｘ１のみが、受信電極Ｒｘと接地電極１２０との間に配列される。しかしながら、第２の伝送電極Ｔｘ２は、第１の伝送電極Ｔｘ１と同一平面に配列される。再び、ある実施形態によると、第１の伝送電極Ｔｘは、第２の伝送電極Ｔｘ２よりサイズが小さくあり得る。
【００２１】
図７ａは、さらに別の実施形態を示し、図７ａにおいて、３つの伝送電極が提供される。再び、第１の伝送電極Ｔｘ１のみが、受信電極Ｒｘと接地電極１２０との間に配列される。第２の伝送電極Ｔｘ２は、受信電極Ｒｘと同一平面に配列される。他の２つの伝送電極Ｔｘ２および伝送電極Ｔｘ３は両方とも、リング形状であり、したがって、受信電極Ｔｘを取り囲む。図７ｂおよび図７ｃは、図７ａに示される実施形態の可能性として考えられる実装の平面図を示す。図から分かるように、伝送電極Ｔｘ２および伝送電極Ｔｘ３は、受信電極Ｒｘを完全に取り囲む必要はない。切り欠きが、特にフィードラインが同一層内に提供される場合に、提供されることができる。さらに、他の実施形態によると、図７ｄの実施形態に示されるように、伝送電極Ｔｘ２および／または伝送電極Ｔｘ３は、各々、複数の区画に区画化され得、伝送電極の各区画は、同一信号を受信する。
【００２２】
図９は、２つの増幅器段９２０および増幅器段９３０に供給される方形波信号または正弦波信号等の駆動信号を発生させるコントローラ９１０を有するセンサ回路９００のブロック図を示す。第１の増幅器段は、利得１を伴うバッファ段であり得る一方、第２の段９３０は、利得３を与え得る。他の利得比率も適用され得る。したがって、２つの交流駆動信号が、振幅のみが異なるように発生させられる。これらの信号は、次いで、それぞれ、第１の伝送電極Ｔｘ１および第２の伝送電極Ｔｘ２に供給される。コントローラは、関連付けられた受信電極Ｒｘから信号を受信するようにさらに構成され得る。増幅器段９２０、９３０は、図９に示されるように外部ドライバであることができるか、または、コントローラ９１０内に統合され得る。
【００２３】
図９に示されるようなシステムは、複数のセンサ配列のための駆動および受信信号を提供し得る。例えば、図８に示されるようなシステムは、各受信電極Ａ、Ｂ、Ｃ、Ｄと関連付けられた別個の伝送電極を提供することによって強化されることができる。伝送電極は、前述の実施形態のいずれかに従って、受信電極Ａ、Ｂ、Ｃ、Ｄに対して配列されることができる。図１０は、そのようなシステム１０００の可能性として考えられる実装を示す。図８の実施形態と同様に、４つの受信電極Ａ、Ｂ、Ｃ、およびＤが、例えばディスプレイ画面１０５０を取り囲むように、フレーム型に配列される。各受信電極Ａ、Ｂ、Ｃ、Ｄは、それぞれ、２つの関連付けられた伝送電極１０１０ａ、ｂ、ｃ、ｄおよび伝送電極１０２０ａ、ｂ、ｃ、ｄを有する。ジェスチャコントローラ１０４０は、駆動信号を提供する。一実施形態によると、第１の伝送電極１０１０ａ、ｂ、ｃ、ｄは、全て、同一の交流信号を受信し得る。同様に、第２の伝送電極１０２０ａ、ｂ、ｃ、ｄは、全て、同一の信号を受信し得る。しかしながら、他の実施形態によると、各電極群は、別の群に対して異なる周波数または位相シフト信号を受信し得る。図１０にさらに示されるように、第１の伝送電極は、全て、それぞれの受信電極とほぼ同一サイズを有するか、または、それぞれの受信電極の面積を被覆するように若干より大きい。
【図１】
2018514037.tif 000003
【図２】
2018514037.tif 000004
【図３】
2018514037.tif 000005
【図４】
2018514037.tif 000006
【図５】
2018514037.tif 000007
【図６】
2018514037.tif 000008
【図７ａ】
2018514037.tif 000009
【図７ｂ】
2018514037.tif 000010
【図７ｃ】
2018514037.tif 000011
【図７ｄ】
2018514037.tif 000012
【図８】
2018514037.tif 000013
【図９】
2018514037.tif 000014
【図１０】
2018514037.tif 000015
【国際調査報告】
2018514037.tif 000016
2018514037.tif 000017
2018514037.tif 000018